(57)【要約】【課題】導電部のさらなる有効活用を図ることができる携帯端末を提供すること。【解決手段】携帯電話機は、操作ユニットに対する操作に応じて電気的な状態が変化するキースイッチと、キースイッチに接続され、キースイッチの電気的な状態の変化に基づいて操作ユニットへの操作を検出するＣＰＵと、キースイッチに電気的に接続される給電部と、給電部に接続されると共に、キースイッチにより共振される信号を処理するＲＦ回路部と、を有する。【選択図】図４
2011199852.tif 000002
【特許請求の範囲】
【請求項１】
筐体と、
前記筐体に設けられた操作部と、
前記筐体に設けられ、前記操作部に対する操作に応じて電気的な状態が変化する導電部と、
前記導電部に接続され、前記導電部の電気的な状態の変化に基づいて前記操作部への操作を検出する操作検出部と、
前記導電部に接続される給電部と、
前記給電部に接続されると共に、前記導電部により共振される信号を処理する信号処理部と、を備える携帯端末。
【請求項２】
前記導電部と接続され、高周波信号を遮断する高周波遮断部をさらに備え、
前記導電部における前記高周波遮断部と接続される側の端部から前記給電部と接続される側の端部までの経路長は、前記信号処理部により処理される信号の波長のｎ／４倍（ｎ＝１，２，３，・・・）の長さである、請求項１に記載の携帯端末。
【請求項３】
前記操作検出部は、前記導電部の電気的な状態の変化に起因して生じる操作信号を検出することにより前記操作部に対する操作を検出し、
前記高周波遮断部は、前記操作信号を通過可能に構成される、請求項２に記載の携帯端末。
【請求項４】
前記導電部に接続され、特定の周波数帯の信号を遮断するフィルタをさらに備え
前記信号処理部は、前記給電部と前記フィルタとの間に形成される第１導電領域により共振される前記特定の周波数帯の信号および前記導電部における前記第１導電領域とは異なる領域である第２導電領域により共振される信号を処理可能に構成される、請求項１乃至請求項３のいずれか一項に記載の携帯端末。
【請求項５】
前記信号処理部により処理される信号の経路に接続されるコンデンサを備える、請求項１乃至請求項４のいずれか一項に記載の携帯端末。
【請求項６】
前記導電部に接続されるアンテナエレメントをさらに備え、
前記給電部は、前記アンテナエレメントを介して前記導電部に接続され、
前記信号処理部は、前記アンテナエレメントおよび前記導電部により共振される信号を処理する、請求項１乃至請求項５のいずれか一項に記載の携帯端末。
【請求項７】
前記導電部と前記アンテナエレメントとは、容量的に接続される、請求項６に記載の携帯端末。
【請求項８】
絶縁層が表層に形成され、前記導電部が導電パターンとして前記絶縁層よりも内側の層に形成される回路基板をさらに備え、
前記導電部と前記アンテナエレメントとは、前記絶縁層を挟んで前記導電パターンと前記アンテナエレメントとを容量結合することにより容量的に接続される、請求項７に記載の携帯端末。
【請求項９】
前記アンテナエレメントは、弾性変形可能な弾性変形部を備え、
前記弾性変形部は、弾性変形した状態で前記絶縁層に当接する、請求項８に記載の携帯端末。
【請求項１０】
前記導電部は、前記操作部のキースイッチ、および／または前記信号処理部と前記キースイッチとを電気的に接続する信号線である、請求項１乃至請求項９のいずれか一項に記載の携帯端末。
【請求項１１】
前記高周波遮断部は、前記導電部と前記操作検出部との間に設けられる抵抗である、請求項３に記載の携帯端末。
【請求項１２】
前記高周波遮断部は、前記導電部と前記操作検出部との間に設けられるインダクタである、請求項３に記載の携帯端末。
【請求項１３】
前記操作部は、複数設けられ、
前記導電部は、複数の前記操作部に対応して複数設けられ、
複数の前記導電部は、それぞれがアンテナとして機能する、請求項１乃至請求項１２のいずれか一項に記載の携帯端末。
【請求項１４】
前記各導電部と前記給電部との接続を切り替える切替部をさらに備え、
前記切替部は、複数の前記操作部のうち一の操作部が操作されると、操作された前記一の操作部に対応する一の導電部と異なる他の導電部と前記給電部とを選択的に接続する、請求項１３に記載の携帯端末。
【請求項１５】
複数の前記導電部が配置される回路基板と、
前記回路基板における前記導電部の相対的な位置情報を記憶する記憶部と、をさらに備え、
前記切替部は、複数の前記操作部のうち一の操作部が操作されると、前記位置情報に基づいて、操作された前記一の操作部に対応する一の導電部と異なる他の導電部と前記給電部とを選択的に接続する、請求項１４に記載の携帯端末。
【請求項１６】
複数の前記導電部が配置される回路基板と、
前記筐体の傾斜角度を検出する傾斜角度検出部と、をさらに備え、
前記切替部は、複数の前記操作部のうち一の操作部が操作されると、前記筐体の傾斜角度に基づいて、操作された前記一の操作部に対応する一の導電部と異なる他の導電部と前記給電部とを選択的に接続する、請求項１４に記載の携帯端末。
【請求項１７】
複数の前記導電部が配置される回路基板と、
前記各操作部に対する対象物の近接状態を検出する近接状態検出部と、をさらに備え、
前記切替部は、複数の前記操作部のうち一の操作部が操作されると、前記近接状態に基づいて、操作された前記一の操作部に対応する一の導電部と異なる他の導電部と前記給電部とを選択的に接続する、請求項１４に記載の携帯端末。
【発明の詳細な説明】
【技術分野】
【０００１】
本発明は、操作部を有する携帯端末に関する。
【背景技術】
【０００２】
従来より、筐体と、筐体に設けられた操作部と、筐体に設けられ、操作部に対する操作に応じて電気的な状態が変化する導電部と、導電部に接続され、導電部の電気的な状態の変化に基づいて操作部への操作を検出する操作検出部と、を有する携帯端末が知られている（例えば、特許文献１参照）。
【先行技術文献】
【特許文献】
【０００３】
【特許文献１】特開２００８−７２２０４号公報
【発明の概要】
【発明が解決しようとする課題】
【０００４】
ところで、上述したような携帯端末では、導電部のさらなる有効活用が望まれていた。
【０００５】
本発明は、導電部のさらなる有効活用を図ることができる携帯端末を提供することを目的とする。
【課題を解決するための手段】
【０００６】
本発明に係る携帯端末は、上記課題を解決するために、筐体と、前記筐体に設けられた操作部と、前記筐体に設けられ、前記操作部に対する操作に応じて電気的な状態が変化する導電部と、前記導電部に接続され、前記導電部の電気的な状態の変化に基づいて前記操作部への操作を検出する操作検出部と、前記導電部に接続される給電部と、前記給電部に接続されると共に、前記導電部により共振される信号を処理する信号処理部と、を備える。
【０００７】
また、前記携帯端末は、前記導電部と接続され、高周波信号を遮断する高周波遮断部を備え、前記導電部における前記高周波遮断部と接続される側の端部から前記給電部と接続される側の端部までの経路長は、前記信号処理部により処理される信号の波長のｎ／４倍の長さであってもよい。
【０００８】
また、前記操作検出部は、前記導電部の電気的な状態の変化に起因して生じる操作信号を検出することにより前記操作部に対する操作を検出し、前記高周波遮断部は、前記操作信号を通過可能に構成されてもよい。
【０００９】
また、前記携帯端末は、前記導電部に接続され、特定の周波数帯の信号を遮断するフィルタをさらに備え、前記信号処理部は、前記給電部と前記フィルタとの間に形成される第１導電領域により共振される前記特定の周波数帯の信号および前記導電部における前記第１導電領域とは異なる領域である第２導電領域により共振される信号を処理可能に構成されてもよい。
【００１０】
また、前記携帯端末は、前記信号処理部により処理される信号の経路に接続されるコンデンサを備えてもよい。
【００１１】
また、前記携帯端末は、前記導電部に接続されるアンテナエレメントをさらに備え、前記給電部は、前記アンテナエレメントを介して前記導電部に接続され、前記信号処理部は、前記アンテナエレメントおよび前記導電部により共振される信号を処理してもよい。
【００１２】
また、前記導電部と前記アンテナエレメントとは、容量的に接続されてもよい。
【００１３】
また、前記携帯端末は、絶縁層が表層に形成され、前記導電部が導電パターンとして前記絶縁層よりも内側の層に形成される回路基板をさらに備え、前記導電部と前記アンテナエレメントとは、前記絶縁層を挟んで前記導電パターンと前記アンテナエレメントとを容量結合することにより容量的に接続されてもよい。
【００１４】
また、前記アンテナエレメントは、弾性変形可能な弾性変形部をさらに備え、前記弾性変形部は、弾性変形した状態で前記絶縁層に当接してもよい。
【００１５】
また、前記導電部は、前記操作部のキースイッチ、および／または前記信号処理部と前記キースイッチとを電気的に接続する信号線であってもよい。
【００１６】
また、前記携帯端末は、前記信号線に接続される抵抗をさらに備え、前記高周波遮断部は、前記抵抗であってもよい。
【００１７】
また、前記高周波遮断部は、前記導電部と前記操作検出部との間に設けられるインダクタであってもよい。
【００１８】
また、前記操作部は、複数設けられ、前記導電部は、複数の前記操作部に対応して複数設けられ、複数の前記導電部は、それぞれがアンテナとして機能してもよい。
【００１９】
また、前記携帯端末は、前記各導電部と前記給電部との接続を切り替える切替部をさらに備え、前記切替部は、複数の前記操作部のうち一の操作部が操作されると、操作された前記一の操作部に対応する一の導電部と異なる他の導電部と前記給電部とを選択的に接続してもよい。
【００２０】
また、前記携帯端末は、複数の前記導電部が配置される回路基板と、前記回路基板における前記導電部の相対的な位置情報を記憶する記憶部と、をさらに備え、前記切替部は、複数の前記操作部のうち一の操作部が操作されると、前記位置情報に基づいて、操作された前記一の操作部に対応する一の導電部と異なる他の導電部と前記給電部とを選択的に接続してもよい。
【００２１】
また、前記携帯端末は、複数の前記導電部が配置される回路基板と、前記筐体の傾斜角度を検出する傾斜角度検出部と、をさらに備え、前記切替部は、複数の前記操作部のうち一の操作部が操作されると、前記筐体の傾斜角度に基づいて、操作された前記一の操作部に対応する一の導電部と異なる他の導電部と前記給電部とを選択的に接続してもよい。
【００２２】
また、前記携帯端末は、複数の前記導電部が配置される回路基板と、前記各操作部に対する対象物の近接状態を検出する近接状態検出部と、をさらに備え、前記切替部は、複数の前記操作部のうち一の操作部が操作されると、前記近接状態に基づいて、操作された前記一の操作部に対応する一の導電部と異なる他の導電部と前記給電部とを選択的に接続してもよい。
【発明の効果】
【００２３】
本発明によれば、導電部のさらなる有効活用を図ることができる携帯端末を提供することができる。
【図面の簡単な説明】
【００２４】
【図１】本発明の携帯端末の一実施形態に係る携帯電話機を前面側から視た図である。
【図２】携帯電話機の操作部近傍における部分分解斜視図である。
【図３】操作部、支持部材およびアンテナエレメントの構成を示す分解斜視図である。
【図４】キースイッチおよびアンテナエレメントに係る電気的な構成について示す図である。
【図５】キースイッチとアンテナエレメントとを電気的に接続するための他の構成例を示す図である。
【図６】キースイッチおよびアンテナエレメントに係る電気的な構成の変形例について示す図である。
【発明を実施するための形態】
【００２５】
以下、本発明の携帯端末の好ましい一実施形態について、図面を参照しながら説明する。図１は、本発明の携帯端末の一実施形態に係る携帯電話機１を前面側から視た図である。本実施形態の携帯電話機１は、図１に示すように、ストレートタイプの携帯電話機１であり、その外形は、筐体２を主体として構成されている。
【００２６】
筐体２は、図１に示すように、略直方体形状を有している。この筐体２は、カバーパネル２１と、フロントケース２２と、リアケース（図示せず）と、外部筐体としてのリアパネル（図示せず）と、バッテリカバー（図示せず）とを主体として構成される。
【００２７】
筐体２の前面２ａは、カバーパネル２１およびフロントケース２２を主体として構成されている。この筐体２の前面２ａには、表示部３０および操作ユニット４０が設けられている。
【００２８】
図２は、携帯電話機１の操作ユニット４０近傍における部分分解斜視図である。
表示部３０は、フロントケース２２に設けられた開口（図示せず）に各種情報を表示させる液晶モジュール２２２が配置されて構成される。
【００２９】
操作ユニット４０は、フロントケース２２の外面に複数の操作キー部材４０ａが露出されて構成される。複数の操作キー部材４０ａそれぞれには、所定の機能が割り当てられる（キー・アサイン）。携帯電話機１は、複数の操作キー部材４０ａが使用者により押圧されることで、これら複数の操作キー部材４０ａそれぞれに割り当てられている機能に応じた動作が実行される。操作ユニット４０は、筐体２の長手方向における一方の端部である下端部側に形成される。
カバーパネル２１は、透明部材により構成される。カバーパネル２１は、フロントケース２２の外面側において、液晶モジュール２２２が配置された開口を覆うように配置される。
【００３０】
また、筐体２の前面２ａには、携帯電話機１の使用時に通話の相手方の音声が出力される音声出力部２６が形成される。音声出力部２６は、筐体２の長手方向における他方の端部である上端部側に形成される。
【００３１】
液晶モジュール２２２のリアケース側には、各種電子部品が実装されるメイン基板５０が配置される。つまり、液晶モジュール２２２は、メイン基板５０のフロントケース２２側に配置される。
【００３２】
操作ユニット４０は、操作キー部材４０ａ（操作部）と、キー基板４０ｂ（回路基板）とを含んで構成される。
操作キー部材４０ａは、上述したように複数の操作キー部材により構成される。
キー基板４０ｂは、複数のキースイッチ４０ｃを有する。複数のキースイッチ４０ｃそれぞれは、各操作キー部材４０ａに対向する位置に配置される。キー基板４０ｂに配置される複数のキースイッチ４０ｃそれぞれは、例えば、椀状に湾曲して立体的に形成された金属板のメタルドームを有する構造になっている。メタルドームは、その椀状形状の頂点が押圧されると、キー基板４０ｂの表面に形成（印刷）された電気回路に形成されるスイッチ電極４０ｄ（図４参照）に接触して電気的に導通するように構成される。
【００３３】
操作ユニット４０のリアケース側には、支持部材６０および支持部材６０に形成されたアンテナエレメント７０が配置される。
【００３４】
図３は、操作ユニット４０、支持部材６０およびアンテナエレメント７０の構成を示す分解斜視図である。図３に示すように、複数のキースイッチ４０ｃそれぞれには、複数の信号線（例えば、後述する図４に示す信号線Ｌ１，Ｌ２，Ｌ３）が接続されている。
【００３５】
アンテナエレメント７０は、板状の板金から構成され、支持部材６０の側面および上面に形成されている。なお、本実施形態では、アンテナエレメント７０は、板状の板金から構成されているが、他の導電性部材で構成されていてもよい。
【００３６】
また、アンテナエレメント７０は、エレメント７０ａと、エレメント７０ｂと、エレメント７０ｃを有する。
エレメント７０ａおよび７０ｂは、支持部材６０の側面に沿って形成される。
【００３７】
エレメント７０ｃは、支持部材６０の上面に形成される。エレメント７０ｃの一端側はエレメント７０ａの端部およびエレメント７０ｂの端部と結合している。これにより、エレメント７０ａ、エレメント７０ｂおよびエレメント７０ｃは、一体となったアンテナエレメント７０として形成される。
【００３８】
また、エレメント７０ｃの他端側の先端部７１は、弾性変形可能な板ばね形状を有している。先端部７１は、弾性変形した状態でキー基板４０ｂの表面（図３中の破線部分）と当接する。
【００３９】
図４は、キースイッチ４０ｃおよびアンテナエレメント７０に係る電気的な構成について示す図である。
【００４０】
図４に示すように、携帯電話機１は、導電部としてのキースイッチ４０ｃと、アンテナエレメント７０と、操作検出部としてのＣＰＵ８１と、信号処理部としてのＲＦ回路部８２と、給電部８３と、導電部としての信号線Ｌ１，Ｌ２，Ｌ３と、高周波遮断部としての抵抗Ｒ１およびＲ２と、コンデンサＣ１と、フィルタＦ１とを備える。なお、図４では、キースイッチ４０ｃは、単一のキースイッチ４０ｃについて示しているが、他の複数のキースイッチ４０ｃも同様の構成を備えている。
【００４１】
ＣＰＵ８１は、メイン基板５０上に実装され、携帯電話機１全体の動作を制御する。ＣＰＵ８１は、信号線Ｌ１および信号線Ｌ２を介して、キースイッチ４０ｃのスイッチ電極４０ｄと接続される。
【００４２】
ＣＰＵ８１は、キースイッチ４０ｃ、信号線Ｌ１、信号線Ｌ２および信号線Ｌ３の電気的な状態の変化に基づいて、操作ユニット４０への操作を検出する。
【００４３】
具体的には、スイッチ電極４０ｄにおいて、操作キー部材４０ａが押圧された状態と、押圧されない状態とでは電位差が生じるため、ＣＰＵ８１は、この電位差に基づいて、操作キー部材４０ａへの操作を検出する。
すなわち、ＣＰＵ８１は、キースイッチ４０ｃ、信号線Ｌ１、信号線Ｌ２および信号線Ｌ３の電気的な状態の変化に起因して生じる操作信号を検出することにより操作キー部材４０ａに対する操作を検出する。
【００４４】
ＲＦ回路部８２（信号処理部）は、ＣＰＵ８１および給電部８３に接続される。ＲＦ回路部８２は、導電部としてのキースイッチ４０ｃ、スイッチ電極４０ｄ、信号線Ｌ１、信号線Ｌ２およびアンテナエレメント７０により共振される高周波信号を処理する。
給電部８３は、アンテナエレメント７０の端部およびＲＦ回路部８２と接続される。
【００４５】
アンテナエレメント７０は、一端側がコンデンサＣ１および信号線Ｌ３を介して、信号線Ｌ１に接続される。また、アンテナエレメント７０は、他端側が給電部８３に接続される。
【００４６】
信号線Ｌ１および信号線Ｌ２は、一端側がキースイッチ４０ｃに接続され、他端側がＣＰＵ８１に接続される。また、信号線Ｌ３は、一端側が信号線Ｌ１に接続され、他端側がコンデンサＣ１に接続される。
信号線Ｌ１、信号線Ｌ２および信号線Ｌ３は、導電性の部材で構成され、後述する操作信号および操作キー部材４０ａ等の導電部材により共振される信号等を伝達する。
抵抗Ｒ１は、信号線Ｌ１に接続される。抵抗Ｒ２は、信号線Ｌ２に接続される。
抵抗Ｒ１およびＲ２は、キースイッチ４０ｃ、アンテナエレメント７０、信号線Ｌ１、信号線Ｌ２および信号線Ｌ３により共振される高周波信号を遮断する。なお、本実施形態では、高周波遮断部として抵抗Ｒ１およびＲ２を用いているが、これに限らず、例えば、インダクタやビーズ等を高周波遮断部として用いてもよい。
【００４７】
ここで、信号線Ｌ１における抵抗Ｒ１と接続される側の端部および信号線Ｌ２における抵抗Ｒ２と接続される側の端部から、給電部８３と接続される側の端部までの経路長は、ＲＦ回路部８２により処理される信号の波長のｎ／４倍の長さとなっている。なお、ｎは１以上の整数である（ｎ＝１，２，３，・・・）。
【００４８】
すなわち、信号線Ｌ１および信号線Ｌ２には、給電部８３までの信号の経路長がＲＦ回路部８２により処理される信号の波長のｎ／４倍の長さとなる位置に、高周波信号を遮断する抵抗Ｒ１および抵抗Ｒ２が接続される。
【００４９】
スイッチ電極４０ｄは、上述したように、キースイッチ４０ｃにおけるメタルドームを構成している。スイッチ電極４０ｄは、操作キー部材４０ａに対向して設けられる。信号線Ｌ１および信号線Ｌ２は、スイッチ電極４０ｄからＣＰＵ８１まで延びている。また、スイッチ電極４０ｄの表面積は、信号線Ｌ１および信号線Ｌ２の表面積よりも大きくなっている。
【００５０】
また、抵抗Ｒ１およびＲ２は、キースイッチ４０ｃ、スイッチ電極４０ｄ、信号線Ｌ１および信号線Ｌ２の電気的な状態の変化に起因して生じる操作信号を通過可能に構成される。
【００５１】
フィルタＦ１は、信号線Ｌ３に接続され、特定の周波数帯の信号を遮断する素子で構成される。
そして、ＲＦ回路部８２は、給電部８３とフィルタＦ１との間に形成される第１導電領域Ａ１により共振される特定の周波数帯の第１の信号、および第１導電領域Ａ１とは異なる領域、（例えば、給電部８３と信号線Ｌ１の端部との間の第２導電領域Ａ２）により共振される第２の信号を処理可能に構成される。
【００５２】
具体的には、フィルタＦ１として８００ＭＨｚ以上の周波数を遮断するローパスフィルタを信号線Ｌ３に接続する。この場合、キースイッチ４０ｃ、スイッチ電極４０ｄ、信号線Ｌ１、信号線Ｌ３およびアンテナエレメント７０（図４中の破線部）は、例えば、使用周波数帯として８００ＭＨｚで共振するアンテナとして動作する。さらに、アンテナエレメント７０は、単独で、使用周波数帯として２ＧＨｚで共振するアンテナとして動作する。
【００５３】
コンデンサＣ１は、ＲＦ回路部８２により処理される信号の経路を構成する信号線Ｌ１、信号線Ｌ２又は信号線Ｌ３の少なくともいずれか一箇所に接続される。
【００５４】
図５は、アンテナエレメント７０と信号線Ｌ１、信号線Ｌ２又は信号線Ｌ３とを電気的に接続するための他の構成例を示す図である。
図５に示すように、キースイッチ４０ｃとアンテナエレメント７０とは、容量的に接続されている。
【００５５】
図５のように、キー基板４０ｂ上には、アンテナエレメント７０の先端部７１と対向する位置に導電パターン９０が形成される。導電パターン９０は、例えば、銅箔で構成され、信号線Ｌ１、信号線Ｌ２および信号線Ｌ３を構成する。
【００５６】
さらに、導電パターン９０の上下には、絶縁層９１が形成される。
つまり、キー基板４０ｂには、絶縁層９１が表層および裏層に形成され、導電パターン９０が上下の絶縁層９１の間に形成される。そして、表層に形成された絶縁層９１の上にさらにキースイッチ４０ｃが形成されている。キースイッチ４０ｃは、導電パターン９０から表層に向かって延びるスルーホール９２に形成された導電体に接続される。
【００５７】
よって、信号線Ｌ１、信号線Ｌ２又は信号線Ｌ３、ひいてはキースイッチ４０ｃとアンテナエレメント７０の先端部７１とは、絶縁層９１を挟んで導電パターン９０とアンテナエレメント７０とを容量結合することにより容量的に接続される。
また、図５に示すように、アンテナエレメント７０の先端部７１は、弾性変形した状態で絶縁層９１に当接する。なお、アンテナエレメント７０の先端部７１は、信号線Ｌ１、信号線Ｌ２および信号線Ｌ３を介さず、キースイッチ４０ｃおよびスイッチ電極４０ｄに直接的に容量結合してもよい。
【００５８】
以上説明したように、本実施形態によれば、携帯電話機１は、筐体２に設けられ、操作ユニット４０に対する操作に応じて電気的な状態が変化するキースイッチ４０ｃと、キースイッチ４０ｃに信号線Ｌ１、信号線Ｌ２および信号線Ｌ３を介して接続され、キースイッチ４０ｃ、信号線Ｌ１、信号線Ｌ２および信号線Ｌ３の電気的な状態の変化に基づいて操作ユニット４０への操作を検出するＣＰＵ８１と、キースイッチ４０ｃに電気的に接続される給電部８３と、給電部８３に接続されると共に、キースイッチ４０ｃ、信号線Ｌ１、信号線Ｌ２および信号線Ｌ３により共振される信号を処理するＲＦ回路部８２と、を有する。
【００５９】
これにより、携帯電話機１は、導電部としてのキースイッチ４０ｃ、信号線Ｌ１、信号線Ｌ２および信号線Ｌ３をアンテナエレメントとして用いることができるため、導電部としてのキースイッチ４０ｃの有効活用を図ることができる。
【００６０】
また、本実施形態によれば、信号線Ｌ１の抵抗Ｒ１と接続される側の端部および信号線Ｌ２の抵抗Ｒ２と接続される側の端部から、給電部８３と接続されるアンテナエレメント７０の端部までの経路長は、ＲＦ回路部８２により処理される信号の波長のｎ／４倍の長さとなっている。
【００６１】
これにより、携帯電話機１は、アンテナエレメントとしてのキースイッチ４０ｃにより受信される信号を処理する効率を向上させることができる。
【００６２】
また、本実施形態によれば、スイッチ電極４０ｄは、操作キー部材４０ａに対向して設けられ、信号線Ｌ１および信号線Ｌ２は、スイッチ電極４０ｄからＣＰＵ８１まで延びている。
【００６３】
また、スイッチ電極４０ｄは、キースイッチ４０ｃを構成する部材である。
ここで、キースイッチ４０ｃは、人体（ユーザの指）に近接するため、導電部としてキースイッチ４０ｃのみを用いた場合には、人体からの影響により導電部のアンテナ特性が変化する可能性がある。
【００６４】
本実施形態では、キースイッチ４０ｃに比べて人体から離間する信号線Ｌ１および信号線Ｌ２を用いて信号の共振を行う構成としたため、人体に起因する影響を低減することができる。
【００６５】
ここで、アンテナエレメント７０からみると、キースイッチ４０ｃ、信号線Ｌ１および信号線Ｌ２は金属であるため、これらのキースイッチ４０ｃ、信号線Ｌ１および信号線Ｌ２によってアンテナエレメント７０のアンテナ特性が変化する可能性がある。また、信号線Ｌ１および信号線Ｌ２のみをアンテナエレメント７０と接続しても、キースイッチ４０ｃのスイッチ電極４０ｄの表面積が信号線Ｌ１および信号線Ｌ２よりも大きいため、スイッチ電極４０ｄの影響によりアンテナエレメント７０のアンテナ特性が変化するおそれがある。
【００６６】
本実施形態では、導電部としてキースイッチ４０ｃ、信号線Ｌ１および信号線Ｌ２を用い、信号線Ｌ１および信号線Ｌ２に抵抗Ｒ１および抵抗Ｒ２を接続した。そのため、携帯電話機１は、アンテナエレメント７０のアンテナ特性の劣化を抑制することができる。
【００６７】
また、本実施形態によれば、ＣＰＵ８１は、キースイッチ４０ｃの電気的な状態の変化に起因して生じる操作信号を検出することにより操作ユニット４０に対する操作を検出する。抵抗Ｒ１およびＲ２は、キースイッチ４０ｃの電気的な状態の変化に起因して生じる操作信号を通過可能に構成される。
【００６８】
これにより、携帯電話機１は、アンテナエレメントとしてのキースイッチ４０ｃにより受信される信号を処理する効率を向上させつつ、キースイッチ４０ｃに係る操作ユニット４０の操作性が低下することを抑制することができる。
【００６９】
また、本実施形態によれば、携帯電話機１は、信号線Ｌ３に接続され、特定の周波数帯の信号を遮断するフィルタＦ１を備える。そして、ＲＦ回路部８２は、給電部８３とフィルタＦ１との間に形成される第１導電領域Ａ１により共振される特定の周波数帯の第１の信号、および第１導電領域Ａ１とは異なる領域である第２導電領域Ａ２により共振される第２の信号を処理可能に構成される。
【００７０】
これにより、携帯電話機１は、導電領域Ａ１と導電領域Ａ２とで異なる使用周波数帯の信号を処理可能となるため、２つの使用周波数帯に対応することが可能となる。なお、導電領域Ａ２は、給電部８３と信号線Ｌ１の端部との間に形成されていたが、これに限らない。すなわち、導電領域Ａ２は、給電部８３に接続される領域であって、キースイッチ４０ｃ、信号線Ｌ１、信号線Ｌ２、信号線Ｌ３およびアンテナエレメント７０の少なくとも一つにより形成される領域であればよい。
【００７１】
また、本実施形態によれば、携帯電話機１は、ＲＦ回路部８２により処理される信号の経路を構成する信号線Ｌ１、信号線Ｌ２又は信号線Ｌ３に接続されるコンデンサＣ１を備える。
【００７２】
ここで、操作キー部材４０ａが押圧されると、信号線Ｌ１には操作信号に係る直流電流が流れる。この直流電流がアンテナエレメント７０を通じてＲＦ回路部８２に入力されると、直流電流によってＲＦ回路部８２の特性が変わる可能性がある。また、直流電流がメイン基板５０におけるグランド（ＧＮＤ）電位と短絡する場合も考えられる。本実施形態に係る携帯電話機１においては、コンデンサＣ１が信号線Ｌ１、信号線Ｌ２又は信号線Ｌ３に接続されるため、操作信号に係る直流電流が遮断される。これにより、携帯電話機１は、操作信号に係る直流電流に起因するＲＦ回路部８２の特性が変わることを抑制することができる。
【００７３】
また、本実施形態によれば、給電部８３は、アンテナエレメント７０を介してキースイッチ４０ｃに接続される。さらに、ＲＦ回路部８２は、アンテナエレメント７０およびキースイッチ４０ｃにより共振される信号を処理する。
【００７４】
これにより、キースイッチ４０ｃをアンテナエレメント７０の一部として動作させることができる。そのため、携帯電話機１は、アンテナエレメント全体の大きさを小さくして、アンテナエレメントの小型化を実現することができる。
【００７５】
また、本実施形態によれば、キースイッチ４０ｃとアンテナエレメント７０とは、容量的に接続されている。これにより、携帯電話機１は、キースイッチ４０ｃとアンテナエレメント７０とを接続するための構成を簡素化することができる。さらに、携帯電話機１は、キースイッチ４０ｃとアンテナエレメント７０とが容量的に接続されることにより、人体に起因する影響が低減される。したがって、携帯電話機１は、キースイッチ４０ｃに係る操作ユニット４０の操作性が低下することを抑制することができる。
【００７６】
また、本実施形態によれば、キースイッチ４０ｃとアンテナエレメント７０の先端部７１とは、絶縁層９１を挟んで導電パターン９０とアンテナエレメント７０とを容量結合することにより容量的に接続される。これにより、携帯電話機１は、キースイッチ４０ｃとアンテナエレメント７０とを接続するための構成を簡素化することができる。
【００７７】
また、本実施形態によれば、アンテナエレメント７０の先端部７１は、弾性変形した状態で絶縁層９１に当接する。これにより、携帯電話機１は、キースイッチ４０ｃとアンテナエレメント７０とを確実に容量結合させることができる。
【００７８】
（変形例）
本実施形態に係る携帯電話機１は、図４に示した構成に限らず、図６に示すような構成を用いてもよい。図６は、キースイッチ４２ａ，４２ｂおよびアンテナエレメント７０に係る電気的な構成の変形例について示す図である。
【００７９】
図６に示すように、携帯電話機１は、導電部としてのキースイッチ４２ａ，４２ｂと、切替部としてのスイッチ４３と、アンテナエレメント７０と、操作検出部としてのＣＰＵ８１と、信号処理部としてのＲＦ回路部８２と、給電部８３と、記憶部としてのメモリ８４と、傾斜角度検出部としての加速度センサ８５と、近接状態検出部としての近接センサ８６と、導電部としての信号線Ｌ１，Ｌ２，Ｌ３と、高周波遮断部としての抵抗Ｒ１，Ｒ２，Ｒ３およびＲ４と、コンデンサＣ１と、フィルタＦ１とを備える。また、図６において、図４に示す構成と同一の構成には同一の符号を付し、説明を省略する。
【００８０】
なお、図６に示すスイッチ電極４１ａ，４１ｂ及びキースイッチ４２ａ，４２ｂは、図４に示すスイッチ電極４０ｄ及びキースイッチ４０ｃと同一の構成である。実際には、キースイッチは、２つだけではなく３つ以上存在するが、図６では、説明の都合上、２つのキースイッチの場合について説明する。
【００８１】
スイッチ４３は、キースイッチ４２ａと接続される固定接点Ｓ１と、キースイッチ４２ｂと接続される固定接点Ｓ２と、信号線Ｌ３と接続される可動接点Ｓ３と、を有する。スイッチ４３は、ＣＰＵ８１の制御に従って、可動接点Ｓ３を固定接点Ｓ１又は固定接点Ｓ２のいずれかと選択的に接続させる。
【００８２】
メモリ８４は、キー基板４０ｂにおけるキースイッチ４２ａ，４２ｂそれぞれの相対的な位置情報を記憶する。位置情報は、例えば、キースイッチ４２ａ，４２ｂそれぞれの相対的な位置関係を示したテーブルである。
【００８３】
加速度センサ８５は、例えば、３軸方向の加速度を検出可能である。加速度センサ８５は、携帯電話機１の傾斜が変化する際に、その変化を加速度データとして検出している。そして、ＣＰＵ８１は、検出された加速度データに基づいて、３軸ごとの傾斜角度を求める所定の演算を行う。これにより、ＣＰＵ８１は、携帯電話機１がどの方向に向いているのかを把握する。
【００８４】
近接センサ８６は、例えば、フォトセンサ、赤外線センサ等で構成される。近接センサ８６は、操作キー部材４０ａの近傍に複数配置される。ＣＰＵ８１は、近接センサ８６により、どの操作キー部材４０ａに対象物（例えば、人体）が近づいたかを把握する。
【００８５】
図６に示すようにキースイッチ４２ａ，４２ｂは、操作キー部材４０ａそれぞれに対応して複数個設けられる。そして、各キースイッチ４２ａ，４２ｂは、それぞれがアンテナとして機能する。
具体的には、ＣＰＵ８１は、キースイッチ４２ａ，４２ｂの一方に対応する操作キー部材４０ａが操作されると、キースイッチ４２ａ，４２ｂの他方と給電部８３とをスイッチ４３により接続する。これにより、キースイッチ４２ａ，４２ｂの他方は、アンテナとして機能する。
【００８６】
このように、携帯電話機１は、操作されていないキースイッチ４２ａ，４２ｂの他方に給電する。すなわち、携帯電話機１は、操作されたキースイッチ４２ａ，４２ｂの一方に給電しない。このため、携帯電話機１は、キースイッチ４２ａ，４２ｂのいずれかにより共振される信号による人体への影響（ＳＡＲ；Ｓｐｅｃｉｆｉｃ  Ａｂｓｏｒｐｔｉｏｎ  Ｒａｔｅ）を低減できる。
【００８７】
また、ＣＰＵ８１は、キースイッチ４２ａ，４２ｂのうち、受信する周波数の信号の強度が強い側にスイッチ４３を切り替えてもよい。これにより、携帯電話機１は、キースイッチ４２ａ，４２ｂをダイバーシチアンテナとして機能させることができる。
【００８８】
また、図６には図示しないが、図３に示すようにキースイッチ４０ｃは、３個以上形成されている。ＣＰＵ８１は、キースイッチ４０ｃのいずれか１つに対応する操作キー部材４０ａが操作されると、メモリ４４に記憶された位置情報に基づいて、キースイッチ４０ｃのいずれか１つから最も離れた位置に配置されたキースイッチ４０ｃの１つと給電部８３とをスイッチ４３により接続する。
【００８９】
例えば、図３において、キースイッチ４０ｃは、キー基板４０ｂ上に格子状に配置されている。図１における複数の操作キー部材４０ａのうち、左下に配置される操作キー部材４０ａ（「３」キー）が操作されると、当該操作キー部材４０ａに対応するキースイッチ４０ｃの電気的な状態が変化する。ＣＰＵ８１は、この電気的な状態の変化を検出すると、図１において右上に配置される操作キー部材４０ａ（「２」キー）に対応するキースイッチ４０ｃと給電部８３とをスイッチ４３により接続する。これにより、右上に配置されるキースイッチ４０ｃは、アンテナとして機能する。したがって、携帯電話機１は、キースイッチ４０ｃにより共振される信号による人体への影響をより適切に低減できる。
【００９０】
また、ＣＰＵ８１は、キースイッチ４０ｃに対応する操作キー部材４０ａが操作されると、加速度センサ８５により検出された筐体２の傾斜角度に基づいて、操作された操作キー部材４０ａに対応するキースイッチ４０ｃ以外のキースイッチ４０ｃと給電部８３とをスイッチ４３により接続する。
【００９１】
例えば、ＣＰＵ８１は、加速度センサ８５により鉛直上向きを検出する。ＣＰＵ８１は、筐体２において鉛直上向きに配置されており、かつ操作されたキースイッチ４０ｃ以外のキースイッチ４０ｃと給電部８３とをスイッチ４３により接続する。これにより、筐体２において鉛直上向きに配置されており、かつ操作されたキースイッチ４０ｃ以外のキースイッチ４０ｃは、アンテナとして機能する。したがって、携帯電話機１は、キースイッチ４０ｃにより共振される信号による人体への影響をより適切に低減できる。なお、筐体２において鉛直上向きに配置されるキースイッチ４０ｃとは、筐体２の前面２ａに配置されるキースイッチだけでなく、筐体２の側面や背面に配置されるキースイッチ（図示せず）も含む。
【００９２】
又は、ＣＰＵ８１は、操作キー部材４０ａの近傍に配置された近接センサ８６により検出された対象物（例えば、人体）の近接状態（対象物が近接しているか否か）に基づいて、対象物が近接している操作キー部材４０ａに対応するキースイッチ４０ｃ以外のキースイッチ４０ｃと給電部８３とをスイッチ４３により接続する。
これにより、対象物が近接しているキースイッチ４０ｃ以外のキースイッチ４０ｃは、アンテナとして機能する。したがって、携帯電話機１は、キースイッチ４０ｃにより共振される信号による人体への影響をより適切に低減できる。
【００９３】
以上、本発明の実施形態について説明したが、本発明は上述した実施形態に制限されるものではなく、適宜変更が可能である。例えば、上述した実施形態の変形例として、抵抗Ｒ１およびＲ２を配置する位置を調整することで、キースイッチ４０ｃのみ、又はキースイッチ４０ｃ、信号線Ｌ１および信号線Ｌ２のいずれかを導電部として用いてもよい。
【００９４】
例えば、信号線Ｌ１およびＬ２において、抵抗Ｒ１およびＲ２をスイッチ電極４０ｄの直近に配置することでキースイッチ４０ｃのみを導電部として用いることができる。また、信号線Ｌ１およびＬ２において、抵抗Ｒ１およびＲ２をスイッチ電極４０ｄから離れた位置に配置することでキースイッチ４０ｃ、信号線Ｌ１および信号線Ｌ２を導電部として用いることができる。
【００９５】
なお、本発明の携帯端末においては、抵抗Ｒ１、抵抗Ｒ２、フィルタＦ１、コンデンサＣ１、アンテナエレメント７０は必須の構成要件ではなく、本発明の携帯端末は、上述したように、筐体２に設けられ、操作ユニット４０に対する操作に応じて電気的な状態が変化するキースイッチ４０ｃと、キースイッチ４０ｃの電気的な状態の変化に基づいて操作ユニット４０への操作を検出するＣＰＵ８１と、キースイッチ４０ｃに電気的に接続される給電部８３と、給電部８３に接続されると共に、キースイッチ４０ｃにより共振される信号を処理するＲＦ回路部８２とを備えることにより実現されるものである。
【００９６】
また、上述した実施形態において、携帯端末としての携帯電話機１について説明したが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【００９７】
１  携帯電話機（携帯端末）
２  筐体
４０  操作部
４０ｂ  キースイッチ（導電部）
８１  ＣＰＵ（操作検出部）
８２  ＲＦ回路部（信号処理部）
８３  給電部
【図１】
2011199852.tif 000003
【図２】
2011199852.tif 000004
【図３】
2011199852.tif 000005
【図４】
2011199852.tif 000006
【図５】
2011199852.tif 000007
【図６】
2011199852.tif 000008